(57)【要約】      （修正有）【課題】ウォーターガンのシャワーモード変換の伝動機構の提供。【解決手段】ウォーターガンのガン本体２０内部に伝動シート３０、スクリュースリーブ５０、二つのスクリュースリーブ位置決め片、伝動シートカバー、スクリュー、スクリュー位置決めシートが設けられ、並びにガン本体底端に押圧に供されるシャワー切り換えボタン４０が設けられ、その押圧に該伝動シートとそれに接続された部品が協動して移動し、スクリューが押圧されて回転し、前端のシャワー回転盤を回転させて所定のシャワーモードの角度位置とし、並びにスクリュー位置決めシートが係止、位置決めされ、伝動シートが回復バネの押圧を受けてシャワー切り換えボタンをもとの位置に回復させ、次の押圧に待機させる。これにより、ウォーターガンが単一の押圧操作によりシャワー回転盤を回転させてシャワーモード変換を達成する。【選択図】図４
0003110676.tif 000002
【実用新案登録請求の範囲】
【請求項１】
ウォーターガンのシャワーモード変換の伝動機構であって、該ウォーターガンは、ガン本体を具え、該ガン本体はハンドルを具え、該ハンドルに出水ボタンが設けられ、該出水ボタンはハンドル内部の水流チャネルの開閉に供され、該ハンドルの上端よりガン管座が延伸され、該ガン管座にシャワー回転盤が取り付けられ、且つ該シャワー回転盤に複数の出水孔が穿たれた、ウォーターガンのシャワーモード変換の伝動機構において、
ガン本体は、そのガン管座内部の所定位置に延伸された出水孔がハンドル内部の水流チャネルと連通し、
伝動シートは、ガン管座の内部に取り付けられて位置制限され、前後の軸方向に伸縮スライド可能とされ、且つ底端に回復バネが嵌合、位置決めされて伝動シートが前向きに弾性押圧により回復可能とされ、伝動シート内部に収容溝が設けられ、収容溝の二つの対向部分に貫通孔が開設され、
シャワー切り換えボタンは、伝動シートの底端部に位置決めされ、押圧される時に伝動シートを後方にスライドさせ、
スクリュースリーブは、伝動シートの内部に取り付けられて位置制限され、並びに伝動シートの前後移動に伴い動作し、且つ外壁に環状に２周の、歯の方向が相反するラチェット歯が設けられ、且つ中央にロッド孔が開設され、並びにロッド孔の内壁にガイドリブが凸設され、
二つのスクリュースリーブ位置決め片は、それぞれ伝動シートの二つの貫通孔近隣部分に軸支され、且つ貫通孔の内側壁面に対向するように歯塊が凸設され、これらスクリュースリーブ位置決め片がそれぞれ押圧バネに押圧されて内向きに回転し並びに貫通孔を通りスクリュースリーブのラチェット歯を係止可能とされ、これによりスクリュースリーブの回転を制限し、そのうち一つのスクリュースリーブ位置決め片は伝動シートの移動に伴い、ガン管座内部底端のストッパリブの抑止を受けて外向きに回転し、これにより内側の歯塊が適時にスクリュースリーブのラチェット歯の係止より離脱し、これによりスクリュースリーブが所定方向に原地回転し、
伝動シートカバーは、伝動シートの前端に結合固定され、且つ中央を軸孔が貫通し、二側にバネ押さえ板が設けられ、スクリュースリーブ位置決め片に取り付けられた押圧バネの押さえと位置決めに供され、
スクリューは、ガイドロッド部を具え、該ガイドロッド部が伝動シートカバーの軸孔を通りスクリュースリーブのロッド孔中に挿入され、且つガイドロッド部の外壁に螺旋ガイド溝が凹設されてスクリュースリーブのガイドリブと相互に摺動可能に螺合され、また、ガイドロッド部の末端は常態でガン管座内部底端の対向部分に当接し位置決めされ、これによりスクリューはスクリュースリーブが伝動シートに連帯し後方に移動する時、所定方向に回転し、ガイドロッド部の前端に環状のラチェットホイールが設けられ、該ラチェットホイールの前端より結合ロッドが延伸され、
スクリュー位置決めシートは、ガン管座の開口端に螺合され、且つ中央に収容溝が凹設されて、スクリューのラチェットホイールをその内部に収容し、また、該収容溝の中央に軸孔が開設されてスクリューの結合ロッドが通され、別にスクリュー位置決めシートにあってガン管座の出水孔に対応する部分に水流連通口が設けられ、止水パッキングが組み合わされて出水孔の挿入、位置決めに供され、また、スクリュー位置決めシートに位置決めブロックが枢設されてそれは位置制限バネの弾性押圧を受けてスクリューのラチェットホイールと係合し、これによりスクリューを回転不能とし、スクリューを所定方向に回転するように制限し、
シャワー回転盤は、ガン本体のガン管座の開口端を被覆し、且つ中央がボルトでスクリューの結合ロッドと結合され、これによりスクリューと同期回転可能とされ、並びにその出水孔がスクリュー位置決めシートの水流連通口と導通し、これにより使用者がシャワー切り換えボタンの押圧操作により、適合するシャワーモードに選択制御でき、
以上を特徴とする、ウォーターガンのシャワーモード変換の伝動機構。
【請求項２】
請求項１記載のウォーターガンのシャワーモード変換の伝動機構において、シャワー切り換えボタンの上端に二つの挿入片が凸設されて、該挿入片が伝動シート底端部に挿入、位置決めされ、並びにボルトによりシャワー切り換えボタンと伝動シートが固定されたことを特徴とする、ウォーターガンのシャワーモード変換の伝動機構。
【請求項３】
請求項１記載のウォーターガンのシャワーモード変換の伝動機構において、伝動シートの内側端に軸棒が凸設され、ガン管座内部底端の該軸棒に対応する部分に位置決め孔が設けられて伝動シートの軸棒がスライド自在に挿入されたことを特徴とする、ウォーターガンのシャワーモード変換の伝動機構。
【請求項４】
請求項１記載のウォーターガンのシャワーモード変換の伝動機構において、伝動シートの前端に複数の弾性係合縁が環状に配設され、伝動シートカバー外壁に該弾性係合縁に対応する嵌合溝が設けられ、伝動シートカバーが伝動シートに嵌合される時に該弾性係合縁と嵌合溝が嵌合することで位置決めされることを特徴とする、ウォーターガンのシャワーモード変換の伝動機構。
【請求項５】
請求項１記載のウォーターガンのシャワーモード変換の伝動機構において、ガイドロッド部の環状のラチェットホイールに相互に６０度夾角をなすようラチェット歯が離間配置されたことを特徴とする、ウォーターガンのシャワーモード変換の伝動機構。
【考案の詳細な説明】
【技術分野】
【０００１】
本考案はウォーターガンに係り、特に、片手でウォーターガンを握持し直接の押圧操作により、シャワーモード変換を達成できる伝動機構に関する。
【背景技術】
【０００２】
図１に示されるように、周知のウォーターガン１０は、ガン本体１１、作動ロッド１２、カバー１３、回転体１４及びハンドル１５で構成され、水はガン本体１１内部のチャネル１１１より流入し、上方の出水道１１２を通り、更に該出水道１１２中に取り付けられた作動ロッド１２がハンドル１５の押圧により後ろに引っ張られて出水道１１２前端が導通状態になることにより、ガン本体１１前端のカバー１３及び回転体１４を通り流出し、且つ回転体１４に設けられた複数の異なるシャワーモードの出水口１４１を通り、並びに回転体１４とガン本体１１の間に取り付けられた回転位置決め部品１６が組み合わされたことにより、使用者が回転体１４を回転させて選択した出水口１４１に位置決めすることで、シャワーモード変換の目的を達成する。
【０００３】
周知のウォーターガン１０はシャワーモード変換操作を行なう時、使用者は手でガン本体１１を握持し、もう一方の手で回転体１４を選択した出水口１４位置に回転させなければならない。このため両手を交互に操作しなければならず、ガン本体１１を握持した片手で行なうことはできず、使用上、不便である。このほか、ガン本体１０が噴水状態の時にシャワーモード変換を行なう場合、回転体１４の回転部分は前端の出水部分に接近するため、操作に不注意があると、手部がシャワーの水に接触し、水が飛び散り、使用者自身も濡れて非常に不便である。ゆえに、上述のウォーターガンの各種の欠点の早急な解決が求められる。
【考案の開示】
【考案が解決しようとする課題】
【０００４】
本考案は一種のウォーターガンのシャワーモード変換の伝動機構を提供することを目的とし、それは、ウォーターガンのガン本体内部に伝動シート、スクリュースリーブ、二つのスクリュースリーブ位置決め片、伝動シートカバー、スクリュー、スクリュー位置決めシートが設けられ、並びにガン本体底端に押圧に供されるシャワー切り換えボタンが設けられ、その押圧に該伝動シートとそれに接続された部品が移動してスクリューが回転し、前端のシャワー回転盤を回転させて所定のシャワーモードの角度位置とし、並びにスクリュー位置決めシートが係止、位置決めされ、伝動シートが回復バネの押圧を受けてシャワー切り換えボタンをもとの位置に回復させ、次の押圧に待機させる。
【課題を解決するための手段】
【０００５】
請求項１の考案は、ウォーターガンのシャワーモード変換の伝動機構であって、該ウォーターガンは、ガン本体を具え、該ガン本体はハンドルを具え、該ハンドルに出水ボタンが設けられ、該出水ボタンはハンドル内部の水流チャネルの開閉に供され、該ハンドルの上端よりガン管座が延伸され、該ガン管座にシャワー回転盤が取り付けられ、且つ該シャワー回転盤に複数の出水孔が穿たれた、ウォーターガンのシャワーモード変換の伝動機構において、
ガン本体は、そのガン管座内部の所定位置に延伸された出水孔がハンドル内部の水流チャネルと連通し、
伝動シートは、ガン管座の内部に取り付けられて位置制限され、前後の軸方向に伸縮スライド可能とされ、且つ底端に回復バネが嵌合、位置決めされて伝動シートが前向きに弾性押圧により回復可能とされ、伝動シート内部に収容溝が設けられ、収容溝の二つの対向部分に貫通孔が開設され、
シャワー切り換えボタンは、伝動シートの底端部に位置決めされ、押圧される時に伝動シートを後方にスライドさせ、
スクリュースリーブは、伝動シートの内部に取り付けられて位置制限され、並びに伝動シートの前後移動に伴い動作し、且つ外壁に環状に２周の、歯の方向が相反するラチェット歯が設けられ、且つ中央にロッド孔が開設され、並びにロッド孔の内壁にガイドリブが凸設され、
二つのスクリュースリーブ位置決め片は、それぞれ伝動シートの二つの貫通孔近隣部分に軸支され、且つ貫通孔の内側壁面に対向するように歯塊が凸設され、これらスクリュースリーブ位置決め片がそれぞれ押圧バネに押圧されて内向きに回転し並びに貫通孔を通りスクリュースリーブのラチェット歯を係止可能とされ、これによりスクリュースリーブの回転を制限し、そのうち一つのスクリュースリーブ位置決め片は伝動シートの移動に伴い、ガン管座内部底端のストッパリブの抑止を受けて外向きに回転し、これにより内側の歯塊が適時にスクリュースリーブのラチェット歯の係止より離脱し、これによりスクリュースリーブが所定方向に原地回転し、
伝動シートカバーは、伝動シートの前端に結合固定され、且つ中央を軸孔が貫通し、二側にバネ押さえ板が設けられ、スクリュースリーブ位置決め片に取り付けられた押圧バネの押さえと位置決めに供され、
スクリューは、ガイドロッド部を具え、該ガイドロッド部が伝動シートカバーの軸孔を通りスクリュースリーブのロッド孔中に挿入され、且つガイドロッド部の外壁に螺旋ガイド溝が凹設されてスクリュースリーブのガイドリブと相互に摺動可能に螺合され、また、ガイドロッド部の末端は常態でガン管座内部底端の対向部分に当接し位置決めされ、これによりスクリューはスクリュースリーブが伝動シートに連帯し後方に移動する時、所定方向に回転し、ガイドロッド部の前端に環状のラチェットホイールが設けられ、該ラチェットホイールの前端より結合ロッドが延伸され、
スクリュー位置決めシートは、ガン管座の開口端に螺合され、且つ中央に収容溝が凹設されて、スクリューのラチェットホイールをその内部に収容し、また、該収容溝の中央に軸孔が開設されてスクリューの結合ロッドが通され、別にスクリュー位置決めシートにあってガン管座の出水孔に対応する部分に水流連通口が設けられ、止水パッキングが組み合わされて出水孔の挿入、位置決めに供され、また、スクリュー位置決めシートに位置決めブロックが枢設されてそれは位置制限バネの弾性押圧を受けてスクリューのラチェットホイールと係合し、これによりスクリューを回転不能とし、スクリューを所定方向に回転するように制限し、
シャワー回転盤は、ガン本体のガン管座の開口端を被覆し、且つ中央がボルトでスクリューの結合ロッドと結合され、これによりスクリューと同期回転可能とされ、並びにその出水孔がスクリュー位置決めシートの水流連通口と導通し、これにより使用者がシャワー切り換えボタンの押圧操作により、適合するシャワーモードに選択制御でき、
以上を特徴とする、ウォーターガンのシャワーモード変換の伝動機構としている。
請求項２の考案は、請求項１記載のウォーターガンのシャワーモード変換の伝動機構において、シャワー切り換えボタンの上端に二つの挿入片が凸設されて、該挿入片が伝動シート底端部に挿入、位置決めされ、並びにボルトによりシャワー切り換えボタンと伝動シートが固定されたことを特徴とする、ウォーターガンのシャワーモード変換の伝動機構としている。
請求項３の考案は、請求項１記載のウォーターガンのシャワーモード変換の伝動機構において、伝動シートの内側端に軸棒が凸設され、ガン管座内部底端の該軸棒に対応する部分に位置決め孔が設けられて伝動シートの軸棒がスライド自在に挿入されたことを特徴とする、ウォーターガンのシャワーモード変換の伝動機構としている。
請求項４の考案は、請求項１記載のウォーターガンのシャワーモード変換の伝動機構において、伝動シートの前端に複数の弾性係合縁が環状に配設され、伝動シートカバー外壁に該弾性係合縁に対応する嵌合溝が設けられ、伝動シートカバーが伝動シートに嵌合される時に該弾性係合縁と嵌合溝が嵌合することで位置決めされることを特徴とする、ウォーターガンのシャワーモード変換の伝動機構としている。
請求項５の考案は、請求項１記載のウォーターガンのシャワーモード変換の伝動機構において、ガイドロッド部の環状のラチェットホイールに相互に６０度夾角をなすようラチェット歯が離間配置されたことを特徴とする、ウォーターガンのシャワーモード変換の伝動機構としている。
【考案の効果】
【０００６】
本考案の提供する伝動機構は、使用者が片手でウォーターガンを握持し並びにシャワー切り換えボタンを押圧することで、シャワー回転盤を回転させてシャワーモード変換を行なえる。これにより、本考案のシャワーモード変換操作は十分に快速で便利であり、操作の不注意から手部がシャワーに接触して水が四散し使用者が濡れる情況を発生しない。
【考案を実施するための最良の形態】
【０００７】
図２から図４を参照されたい。本考案のウォーターガンのシャワーモード変換の伝動機構の好ましい実施例によると、該ウォーターガンは、ガン本体２０を具え、該ガン本体２０はハンドル２１を具え、それに出水ボタン２１１が設けられ、該出水ボタン２１１はハンドル２１内部の水流チャネル２１２を開閉するのに用いられ、該ハンドル２１の上端よりガン管座２２が延伸され、該ガン管座２２にシャワー回転盤２３が取り付けられ、且つ該シャワー回転盤２３に複数の出水孔２３１が穿たれ、また、これら出水孔２３１は異なるシャワーモードを発生するのに用いられる。
【０００８】
そのうち、該ガン本体２０は、そのガン管座２２内部の所定位置に延伸された出水孔２２１がハンドル２１内部の水流チャネル２１２と連通し、且つガン管座２２内部底端に位置決め孔２２２が設けられ、更に所定の壁部分にストッパリブ２２３が設けられている。
【０００９】
伝動シート３０は、その内側端に軸棒３１が凸設され、それがガン管座２２内部底端の位置決め孔２２２に挿入されて前後の軸方向に伸縮スライド可能とされ、また、該伝動シート３０の底端に回復バネ３２が嵌合、位置決めされて伝動シート３０を前向きに弾性押圧により回復させ、また伝動シート３０内部に収容溝３３が設けられ、並びに収容溝３３の二つの対向部分に貫通孔３４が開設され、伝動シート３０の前端に複数の弾性係合縁３５が環状に配設されている。
【００１０】
シャワー切り換えボタン４０は、その上端に二つの挿入片４１が凸設され、ガン管座２２の底壁を通り上向きに突出して伝動シート３０の底端部に位置決めされ、並びにボルト４２によりそれと固定され、シャワー切り換えボタン４０が押圧される時に伝動シート３０を駆動し後方にスライドさせる。
【００１１】
スクリュースリーブ５０は、伝動シート３０の収容溝３３内部に取り付けられて位置制限され、並びに伝動シート３０の前後移動に伴い動作し、且つ外壁に環状に２周の歯の方向が相反するラチェット歯５１、５２が設けられ、並びに該ラチェット歯５１、５２が伝動シート３０の貫通孔３４に対応し、且つ中央にロッド孔５３が開設され、並びにロッド孔５３の内壁にガイドリブ５４が凸設されている。
【００１２】
二つのスクリュースリーブ位置決め片６０は、それぞれ回転軸部６１を具え、それぞれ伝動シート３０の二つの貫通孔３４近隣部分に軸支され、且つ貫通孔３４の内側壁面に対向する歯塊６２が凸設され、これらスクリュースリーブ位置決め片６０がそれぞれ押圧バネ６３の弾性により押圧されて内向きに回転可能とされ、並びに貫通孔３４を通りスクリュースリーブ５０のラチェット歯５１、５２を係止し、これによりスクリュースリーブ５０の回転を制限するものとされ、また、そのうち一つのスクリュースリーブ位置決め片６０は更に押圧板６４を具え、それは伝動シート３０の移動時に、ガン管座２２内部底端のストッパリブ２２３の抑止を受けて外向きの回転し、これにより内側の歯塊６２が適時にスクリュースリーブ５０のラチェット歯５２の係止より離脱し、これによりスクリュースリーブ５０が所定方向に原地回転する。
【００１３】
伝動シートカバー７０は、伝動シート３０の前端に結合固定され、且つ中央を軸孔７１が貫通し、二側にバネ押さえ板７２が設けられ、スクリュースリーブ位置決め片６０に取り付けられた押圧バネ６３の押さえと位置決めに供され、また、該伝動シートカバー７０の外壁に複数の嵌合溝７３が設けられ、それが伝動シート３０に嵌合される時、伝動シート３０の弾性係合縁３５と相互に嵌合し、位置決めされる。
【００１４】
スクリュー８０は、ガイドロッド部８１を具え、伝動シートカバー７０の軸孔７１を通りスクリュースリーブ５０のロッド孔５３中に挿入され、且つガイドロッド部８１の外壁に螺旋ガイド溝８１１が設けられてスクリュースリーブ５０のガイドリブ５４と摺動可能に螺合され、また、ガイドロッド部８１の末端は常態でガン管座２２内部底端の対向部分に当接し位置決めされ、これによりスクリュー８０はスクリュースリーブ５０が伝動シート３０に連帯し後方に移動する時、所定方向に回転する。また、ガイドロッド部８１の前端に環状のラチェットホイール８２が設けられ、該ラチェットホイール８２に相互に６０度の夾角を隔てたラチェット歯８２１が環状に配設され、また、該ラチェットホイール８２の前端より結合ロッド８３が延伸されている。
【００１５】
スクリュー位置決めシート９０は、ガン管座２２の開口端に螺合され、且つ中央に収容溝９１が凹設されて、スクリュー８０のラチェットホイール８２をその内部に収容し、また、該収容溝９１の中央に軸孔９２が開設され、スクリュー８０の結合ロッド８３が通され、別にスクリュー位置決めシート９０にあってガン管座２２の出水孔２２１に対応する部分に水流連通口９３が設けられ、止水パッキング２４が組み合わされて出水孔２２１の挿入、位置決めに供される。また、スクリュー位置決めシート９０に位置決めブロック９４が枢設されてそれは位置制限バネ９５の弾性押圧を受けて収容溝９１周壁を通りスクリュー８０のラチェットホイール８２と適時に係合し、これによりスクリュー８０を回転不能とし、スクリュー８０を所定方向に回転するように制限する。
【００１６】
該シャワー回転盤２３は、ガン本体２０のガン管座２２の開口端を被覆し、且つ中央がボルト２３２でスクリュー８０の結合ロッド８３と結合され、これによりスクリュー８０と同期回転可能とされ、並びにその出水孔２３１がスクリュー位置決めシート９０の水流連通口９３と導通し、これにより使用者がシャワー切り換えボタン４０の押圧操作により、適合するシャワーモードに選択制御できる。
【００１７】
図５に示されるように、本考案のウォーターガンを使用する時は、直接ハンドルの出水ボタン２１１を押せば、水はハンドル内部の水流チャネル２１２を通り、ガン管座２２の出水孔２２１を通り、さらにスクリュー位置決めシート９０の水流連通口９３とシャワー回転盤２３の対応する出水孔２３１を通り噴出する。使用者がシャワーモード変換する時には、片手でウォーターガンを握持し並びに直接シャワー切り換えボタン４０を押せば、それに協動する伝動シート３０とそれに嵌合位置決めされたスクリュースリーブ５０が後方に移動し、並びに回復バネ３２を圧縮し、スクリュー８０がガン管座２２内部底端に当接し、且つそれと螺合されたスクリュースリーブ５０が二側のスクリュースリーブ位置決め片６０の係止を受けて回転不能となる。これにより、伝動シート３０が後方に移動する時、強制的にスクリュー８０がスクリュースリーブ５０に対して線形の回転運動を発生し、これによりスクリュー８０前端に結合されたシャワー回転盤２３が所定角度回転し、並びにスクリュー８０前端のラチェットホイール８２がスクリュー位置決めシート９０の位置決めブロック９４の係止により位置決めされる。本実施例のスクリュー８０のラチェットホイール８２は６歯面とされ、ゆえにシャワー回転盤２３は６０度回転する毎に異なるシャワーモードとされ、これによりシャワーモード変換機能を達成する。図６に示されるように、このほか、伝動シート３０が後方移動行程完成時に、スクリュー８０が線形の回転運動を完成し、且つ該シャワー回転盤２３もまたシャワーモード変換を完成する。この時、該シャワー切り換えボタン４０を開放すれば、回復バネ３２の弾力が釈放され、並びに伝動シート３０が押圧されて回復し、先にスクリュー８０が位置決めブロック９４により係止されて回転不能とされ、且つ該伝動シート３０のそのうち一つのスクリュースリーブ位置決め片６０がガン管座２２内部底端のリブと相互に係止して外向きに回転し、その内壁の歯塊６２がスクリュースリーブ５０のラチェット歯５２を離脱する。このとき、該伝動シート３０は回復バネ３２の弾力を受けて、且つ該回復バネ３２の弾力はスクリュースリーブ位置決め片６０の押圧バネ６３の弾力より遥かに大きいため、伝動シート３０の収容溝３３に収容されたスクリュースリーブ５０がガイドリブ５４によりスクリュー８０の螺旋ガイド溝８１１中で快速回転を発生し、これにより伝動シート３０を伴いスクリュー８０前端が移動しもとの位置に戻り、これにより次のシャワーモード変換時の回転動作に待機する。即ち、使用者が更にシャワー切り換えボタン４０を押圧すれば、前述のようにシャワー回転盤２３を動作させられ、次のシャワーモード変換の効果が達成され、これは図７、８に示されるようである。ゆえに本考案のウォーターガンは使用者が片手でウォーターガンを握持し並びにシャワー切り換えボタンを押圧することで、シャワー回転盤を回転させてシャワーモード変換を行なえる。これにより、本考案のシャワーモード変換操作は十分に快速で便利であり、操作の不注意から手部がシャワーに接触して水が四散し使用者が濡れる情況を発生せず、実用的で便利である。
【００１８】
以上の実施例は本考案の実施範囲を限定するものではなく、以上の実施例及び図面の記載に基づきなしうる細部の修飾或いは改変は、いずれも本考案の請求範囲に属するものとする。
【図面の簡単な説明】
【００１９】
【図１】周知のウォーターガンの側面断面図である。
【図２】本考案のウォーターガンの外観組合せ図である。
【図３】本考案のウォーターガンの局部立体分解図である。
【図４】本考案のウォーターガンの側面断面図である。
【図５】本考案のウォーターガンの押圧変換動作表示図である。
【図６】本考案のウォーターガンの位置決めブロックとラチェットホイールの係止状態表示図である。
【図７】本考案の伝動シートとスクリュースリーブ位置決め片及びスクリューのガン管座内部での移動表示図である。
【図８】本考案の伝動シートとスクリュースリーブ位置決め片及びスクリューのガン管座内部での移動表示図である。
【符号の説明】
【００２０】
１０  ウォーターガン          １１  ガン本体
１１１  チャネル              １１２  出水道
１２  作動ロッド              １３  カバー
１４  回転体                  １４１  出水口
１５  ハンドル                １６  位置決め部品
２０  ガン本体                ２１  ハンドル
２１１  出水ボタン            ２１２  水流チャネル
２２  ガン管座                ２２１  出水孔
２２２  位置決め孔            ２２３  係止リブ
２３  シャワー回転盤          ２４  止水パッキング
２３１  出水孔                ２３２  ボルト
３０  伝動シート              ３１  軸棒
３２  回復バネ                ３３  収容溝
３４  貫通孔                  ３５  弾性係合縁
４０  シャワー切り換えボタン
４１  挿入片                  ４２  ボルト
５０  スクリュースリーブ
５１  ラチェット歯            ５２  ラチェット歯
５３  ロッド孔                ５４  ガイドリブ
６０  スクリュースリーブ位置決め片
６１  回転軸部                ６２  歯塊
６３  押圧バネ                ６４  押圧板
７０  伝動シートカバー        ７１  軸孔
７２  バネ押さえ板            ７３  嵌合溝
８０  スクリュー
８１  ガイドロッド部          ８１１  螺旋ガイド溝
８２  ラチェットホイール      ８３  結合ロッド
９０  スクリュー位置決めシート  ９１  収容溝
９２  軸孔                      ９３  水流連通口
９４  位置決めブロック          ９５  位置制限バネ
【図１】
0003110676.tif 000003
【図２】
0003110676.tif 000004
【図３】
0003110676.tif 000005
【図４】
0003110676.tif 000006
【図５】
0003110676.tif 000007
【図６】
0003110676.tif 000008
【図７】
0003110676.tif 000009
【図８】
0003110676.tif 000010